【事件の表示】
　特許第３０５０４４８号「施肥装置」の請求項１に係る特許に対する特許異議の申立てについて、次のとおり決定する。
【結　論】
　訂正を認める。
　特許第３０５０４４８号の請求項１に係る特許を維持する。
【理　由】
１．手続の経緯　　　　　　　　　　　　　　　　　　　　　　　　　　
　本件特許第３０５０４４８号の請求項１に係る発明は、平成４年３月２７日に特許出願され、平成１２年３月３１日にその特許権の設定登録がなされ、その後、ヤンマー農機株式会社より特許異議の申立てがなされ、取消理由が通知され、その指定期間内である平成１３年１０月９日に訂正請求がなされたものである。　
　　　　　　　　　　　　　　　　　　　　　　　　　　　　　　　　　
２．訂正の適否についての判断　　　　　　　　　　　　　　　　　　　
（１）訂正の内容
訂正事項a
　特許明細書の特許請求の範囲の請求項１の記載を下記のとおり訂正。　
　【請求項１】肥料繰り出し部から繰り出された肥料を圧力風により圧送して作溝器まで案内する肥料案内部を有する施肥装置において、作溝器内の施肥口が詰まったとき作溝器より上方で肥料案内部内の圧力風を外部に逃がす空気抜け孔を、外部に連通する小径管を作溝器から上方に離れた個所であって肥料案内部の途中個所において上方に向けて突設することによって設けたことを特徴とする施肥装置。
訂正事項b
　特許明細書の段落【０００４】を下記のとおり訂正。
　【０００４】
  【課題を解決するための手段】
  上記の目的を達成するために本発明は、肥料繰り出し部から繰り出された肥料を圧力風により圧送して作溝器まで案内する肥料案内部を有する施肥装置において、作溝器内の施肥口が詰まったとき作溝器より上方で肥料案内部内の圧力風を外部に逃がす空気抜け孔を、外部に連通する小径管を作溝器から上方に離れた個所であって肥料案内部の途中個所において上方に向けて突設することによって設けたことを特徴としている。
訂正事項c
　特許明細書の段落【００１５】を下記のとおり訂正。
　【００１５】
  【発明の効果】
  本発明の施肥装置によれば、作溝器内の施肥口が詰まったとき作溝器より上方で肥料案内部内の圧力風を外部に逃がす空気抜け孔を、外部に連通する小径管を作溝器から上方に離れた個所であって肥料案内部の途中個所において上方に向けて突設することによって設けたので、作溝器内に圃場の土などが詰まっても、肥料案内部内の圧力風は前記空気抜け孔から外部に抜け出すことになり、短時間で肥料繰り出し部に肥料詰まりが生じるようなことが防止される。従って、作溝器内の土などの詰まりを排除すれば、直ちに施肥作業を再開することができるので、従来技術の課題を解消できて、非常に作業能率が良い。 　　　　　　　　　　　　　　　　　　　　　　　　　　　　　　　　　　　　　　　　　　　　　　　　　　　　　　　　　　　　　
（２）訂正の目的の適否、新規事項の有無及び拡張・変更の存否　 　　　
　上記訂正事項aは、特許明細書の請求項１に記載されていた「空気抜け孔を設けた」を、「空気抜け孔を、外部に連通する小径管を作溝器から上方に離れた個所であって肥料案内部の途中個所において上方に向けて突設することによって設けた」に、特許明細書の段落【０００７】の記載及び図１、図３の記載に基いて訂正するものであって、特許請求の範囲の減縮を目的とした明細書の訂正に該当しており、また上記訂正事項b及びcは訂正後の特許請求の範囲の記載と発明の詳細な説明の記載との整合を図るための明りょうでない記載の釈明を目的とした明細書の訂正に該当しており、いずれも新規事項の追加に該当せず、実質上特許請求の範囲を拡張し、変更するものではない。
　　　　　　　　　　　　　　　　　　　　　　　　　　　　　　　　　
（３）むすび　　　　　　　　　　　　　　　　　　　　　　　　　　　
　以上のとおりであるから、上記訂正は、特許法等の一部を改正する法律（平成６年法律第１１６号）附則第６条第１項の規定によりなお従前の例によるとされる、特許法第１２０条の４第３項において準用する平成６年法律第１１６号による改正前の特許法第１２６条第１項ただし書、第２項及び第３項の規定に適合するので、当該訂正を認める。　　　　　　　　　　　　
　　　　　　　　　　　　　　　　　　　　　　　　　　　　　　　　　
３．特許異議申立てについての判断　　　　　　　　　　　　　　　　　
（１）申立ての理由の概要 　　　　　　　　　　　　　　　　　　　　　
　特許異議申立人ヤンマー農機株式会社は、本件の請求項１に係る発明の特許に対して、証拠として下記の甲第１号証及び甲第２号証を提示し、以下の主張をしている。
　本件の請求項１に係る発明は、甲第１号証に記載された発明であり、または甲第１号証及び甲第２号証に記載された発明に基いて当業者が容易に成し得た発明であるから、本件の請求項１に係る発明の特許は特許法第２９条第１項第３号または特許法第２９条第２項の規定に違反してなされたものであり、取り消されるべきである。
　　　　　　　　　　　　　　　　 記　　　　　　　　　　　　　　　　
甲第１号証：実願昭６０−５５９９号（実開昭６１−１２２６４４号）のマ　　　　　　イクロフィルム　　　　　　　　　　　　　　　　　　　　
甲第２号証：特開昭５９−２２０１１２号公報　　　　　　　　　　　　
　　　　　　　　　　　　　　　　　　　　　　　　　　　　　　　　　
（２）本件の請求項１に係る発明 　　　　　　　　　　　　　　　　　　
　上記２．で示したように上記訂正が認められるから、　　　　　　　　
本件の請求項１に係る発明（以下、「本件発明」という）は、上記訂正に係る訂正明細書の特許請求の範囲の請求項１に記載されたとおりのものである。（上記２．（１）訂正事項a参照）　　　　　　　　　　　　　　　　
　　　　　　　　　　　　　　　　　　　　　　　　　　　　　　　　　
（３）甲号各証に記載の発明　　　　　　　　　　　　　　　　　　　　
　特許異議申立人ヤンマー農機株式会社が提示した甲号各証には、以下の発明が記載されている。
甲第１号証（実願昭６０−５５９９号（実開昭６１−１２２６４４号）のマ　　　　　　イクロフィルム、当審が通知した取消しの理由で引用した刊行　　　　　　物２）
「走行車体（１）に牽引されて土壌面に粒状施肥溝を作溝する作溝器（２）内の、肥料を空気搬送する施肥パイプ（３）の終端部に、この肥料粒径よりは小さい目合の網状パイプ（４）を該施肥パイプ（３）と一体的に設けてなる粒状肥料の施肥パイプ」（実用新案登録請求の範囲）、
「この作溝器（２）の稜線部（２２）の後側には、前記施肥パイプ（３）の終端部に一体状に設けた肥料粒径よりは小さい目合の網状パイプ（４）部をこの稜線部（２２）に沿って取付ける。」（第４頁第９行−１２行、並びに図面第２図及び第３図）、　　　　　　　　　　　　　　　　　　　　　
「送風ファン（１４）を回転させると、発生した風は送風管（１６）、空気室（１５）を経て施肥パイプ（３）内を後方に向かって流れ、粒肥ホッパー（１７）内の粒肥を繰出装置（１８）によって繰出すと、施肥パイプ（３）内の風によって後方に搬送され、この粒肥を搬送した搬送風は網状パイプ（４）部に至ると、網目から適宜に外周に放散されることによって減衰し、搬送された粒肥は作溝器（２）によって作溝された溝内に、この減衰した風によって施肥されることになり、従って粒肥は溝外に飛散することなく正確に施肥される。」（第５頁第２行−１２行）の各記載より、甲第１号証には、
「肥料を空気搬送する施肥パイプ（３）の終端部に、肥料粒径よりは小さい目合の網状パイプ（４）を該施肥パイプ（３）と一体的に設け、この網状パイプ（４）を、土壌面に粒状施肥溝を作溝する作溝器（２）の稜線部（２２）の後側に、この稜線部（２２）に沿って取付けた粒状肥料の施肥パイプであって、送風ファン（１４）を回転させると、発生した風は施肥パイプ（３）内を後方に向かって流れ、粒肥ホッパー（１７）内の粒肥を繰出装置（１８）によって繰出すと、施肥パイプ（３）内の風によって後方に搬送され、この粒肥を搬送した搬送風は網状パイプ（４）部に至ると、網目から適宜に外周に放散されることによって減衰し、搬送された粒肥は作溝器（２）によって作溝された溝内に、この減衰した風によって施肥されることになり、粒肥は溝外に飛散することなく正確に施肥される。」が記載されている。
甲第２号証（特開昭５９−２２０１１２号公報、当審が通知した取消しの理　　　　　　由で引用した刊行物１）
「施肥・播種溝形成用の作溝パイプ（２５）内を、風力で強制的に肥料・種子を圧送してその終端から強制的に放出施肥・播種可能に構成し、該作溝パイプの終端部近傍にエアー抜きバルブ（３０）を配設してなる施肥機の作溝パイプ」（特許請求の範囲）、
「肥料繰出し装置（２１）の落下筒部（２１ａ）の下端には、施肥パイプ（２４）の一端を接続するとともに、該施肥パイプ（２４）の他端部を後方へ延出している。」（第１頁右下欄第１９行−第２頁左上欄第２行）、　　
「作溝パイプ（２５）の上端部に施肥パイプ（２４）の終端部を接続している。（２６）は、ブローワーで、該ブローワー（２６）で発生した風は給風パイプ（２７）を介して施肥パイプ（２４）の前部に連通されていて、肥料繰出し装置（２１）から繰出された肥料は、施肥パイプ（２４）内を圧送されるように構成している。」（第２頁左上欄第６行−１２行）、　　　　
「作溝パイプ（２５）は、中間部に屈曲部（２５ａ）を構成するとともに、作溝パイプ（２５）の屈曲部上方部位にエアー抜き穴（２８）を開□して、該エアー抜き穴（２８）にエアー抜きパイプ（２９）を後方上方へ向うように延出し、該エアー抜きパイプ（２９）の終端部に風の圧力で開孔するエアー抜きバルブ（３０）を軸支している。」（第２頁左上欄第１４行−１９行、及び図面第２図）、
「粒状の肥料を圧送してきた風は、屈曲部（２５ａ）上方のエアー抜き穴（２８）を通ってエアー抜きパイプ（２９）に流入し、エアー抜きバルブ（３０）を押し開けながら機外へ導かれ、粒状の肥料が作溝パイプ（２５）の終端から落下排出するにあたり、圧送力が弱められた状態となり、作溝パイプ（２５）の終端から排出され、排出された粒状の肥料が必要以上に作溝パイプ（２５）の終端から後方へ跳ね飛されることもなく、粒状の肥料の施肥を均等に行うことができる。」（第２頁左下欄第６行−１５行）の各記載より、甲第２号証には、
「肥料繰出し装置（２１）の下端に一端を接続した施肥パイプ（２４）の他端部に作溝パイプ（２５）を接続し、該作溝パイプ（２５）は中間部に屈曲部（２５ａ）を構成し、該屈曲部上方部位にエアー抜き穴（２８）を開□して、該エアー抜き穴（２８）にエアー抜きパイプ（２９）を後方上方へ向うように延出し、該エアー抜きパイプ（２９）の終端部に風の圧力で開孔するエアー抜きバルブ（３０）を軸支しており、粒状の肥料を圧送してきた風は屈曲部（２５ａ）上方のエアー抜き穴（２８）を通ってエアー抜きパイプ（２９）に流入し、エアー抜きバルブ（３０）を押し開けながら機外へ導かれ、粒状の肥料が作溝パイプ（２５）の終端から落下排出されるにあたり、圧送力が弱められた状態となって排出され、排出された粒状の肥料が必要以上に作溝パイプ（２５）の終端から後方へ跳ね飛されることもなく、粒状の肥料の施肥を均等に行うことができる。」が記載されている。
　　　　　　　　　　　　　　　　　　　　　　　　　　　　　　　　　
（４）対比・判断
　本件発明と甲第１号証及び甲第２号証に記載の発明（以下、それぞれ「引用発明１」及び「引用発明２」という）とを対比すると、これら引用発明１及び引用発明２のいずれも、本件発明の構成である、「作溝器内の施肥口が詰まったとき作溝器より上方で肥料案内部内の圧力風を外部に逃がす空気抜け孔を、作溝器から上方に離れた個所であって肥料案内部の途中個所に設けた」の構成を備えていない。
　すなわち、本件発明の「空気抜け孔」に対比させて引用発明１の「網状パイプ」及び引用発明２の「エアー抜き穴」をみると、これらは共に圧力風を外部に逃がすためのものではあるが、これらの「網状パイプ」及び「エアー抜き穴」は、「搬送風は網目から適宜に外周に放散されることによって減衰し、搬送された粒肥はこの減衰した風によって施肥されることになり、粒肥は溝外に飛散することなく正確に施肥される」（引用発明１の「網状パイプ」）、及び「粒状の肥料を圧送してきた風は機外へ導かれ、粒状の肥料が作溝パイプの終端から落下排出されるにあたり、圧送力が弱められた状態となって排出され、排出された粒状の肥料が必要以上に作溝パイプの終端から後方へ跳ね飛されることもなく、粒状の肥料の施肥を均等に行うことができる」（引用発明２の「エアー抜き穴」）ためのものである。すなわち、引用発明１の「網状パイプ」も、引用発明２の「エアー抜き穴」も、粒状の肥料を圧送して「作溝器」（引用発明２においては、「作溝パイプ」）から施肥するに際して、粒状の肥料が必要以上に「作溝器」（「作溝パイプ」）の後方へ跳ね飛されることのないように、粒状の肥料の圧送力を弱めるためのものであって、本件発明のように「施肥口が詰まったとき肥料案内部内の圧力風を外部に逃がす」ためのものではないから、引用発明１の「網状パイプ」及び引用発明２の「エアー抜き穴」と本件発明の「空気抜け孔」とでは、その技術的意義が相違している。そして、このような技術的意義の相違に伴い、引用発明１においては、「網状パイプ」は「施肥パイプ（３）の終端部に」、「作溝器（２）の稜線部（２２）に沿って取付け」られ、また引用発明２においては、「エアー抜き穴」は「作溝パイプ（２５）の屈曲部上方部位に」設けられていれば足りるのであって、これらの「網状パイプ」及び「エアー抜き穴」を、「作溝器」（「作溝パイプ」）から上方に離れた個所であって肥料案内部である、「施肥パイプ（３）」（引用発明１）及び「施肥パイプ（２４）」（引用発明２）の途中個所に設ける必然性は、引用発明１及び引用発明２においては存在しない。一方、本件発明は、「施肥口が詰まったとき肥料案内部内の圧力風を外部に逃がす」必要から「空気抜け孔」を、「作溝器から上方に離れた個所であって肥料案内部の途中個所に設けた」ものであり、前記のように構成したことによって、本件発明は訂正明細書に記載された、「作溝器内の施肥口が詰まったとき作溝器より上方で肥料案内部内の圧力風を外部に逃がす空気抜け孔を、外部に連通する小径管を作溝器から上方に離れた個所であって肥料案内部の途中個所において上方に向けて突設することによって設けたので、作溝器内に圃場の土などが詰まっても、肥料案内部内の圧力風は前記空気抜け孔から外部に抜け出すことになり、短時間で肥料繰り出し部に肥料詰まりが生じるようなことが防止される。従って、作溝器内の土などの詰まりを排除すれば、直ちに施肥作業を再開することができるので、従来技術の課題を解消できて、非常に作業能率が良い。」という作用効果を奏するものである。
  したがって、本件発明は甲第１号証または甲第２号証に記載された発明ではなく、また甲第１号証及び甲第２号証に記載された発明に基いて当業者が容易に成し得た発明でもないので、本件発明の特許は、特許法第２９条第１項第３号の規定に違反してなされたものではなく、また特許法第２９条第２項の規定に違反してなされたものでもない。
　　　　　　　　　　　　　　　　　　　　　　　　　　　　　　　　　
（５）むすび
　以上のとおりであるから、特許異議の申立ての理由によっては本件請求項１に係る発明についての特許を取り消すことはできない。　　　　
　また、他に本件請求項１に係る発明についての特許を取り消すべき理由を発見しない。
　したがって、本件請求項１に係る発明についての特許は拒絶の査定をしなけらばならない特許出願に対してされたものと認めない。　　　　
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、結論のとおり決定する。
【異議決定日】
平成１４年３月１日（２００２．３．１）
【訂正の要旨】
訂正の要旨
ａ．特許明細書の特許請求の範囲の請求項１の記載を下記のとおり訂正。
　肥料繰り出し部から繰り出された肥料を圧力風により圧送して作溝器まで案内する肥料案内部を有する施肥装置において、作溝器内の施肥口が詰まったとき作溝器より上方で肥料案内部内の圧力風を外部に逃がす空気抜け孔を、外部に連通する小径管を作溝器から上方に離れた個所であって肥料案内部の途中個所において上方に向けて突設することによって設けたことを特徴とする施肥装置。
ｂ．特許明細書の段落【０００４】を下記のとおり訂正。
　【０００４】
　【課題を解決するための手段】
　上記の目的を達成するために本発明は、肥料繰り出し部から繰り出された肥料を圧力風により圧送して作溝器まで案内する肥料案内部を有する施肥装置において、作溝器内の施肥口が詰まったとき作溝器より上方で肥料案内部内の圧力風を外部に逃がす空気抜け孔を、外部に連通する小径管を作溝器から上方に離れた個所であって肥料案内部の途中個所において上方に向けて突設することによって設けたことを特徴としている。
ｃ．特許明細書の段落【００１５】を下記のとおり訂正。
　【００１５】
　【発明の効果】
　本発明の施肥装置によれば、作溝器内の施肥口が詰まったとき作溝器より上方で肥料案内部内の圧力風を外部に逃がす空気抜け孔を、外部に連通する小径管を作溝器から上方に離れた個所であって肥料案内部の途中個所において上方に向けて突設することによって設けたので、作溝器内に圃場の土などが詰まっても、肥料案内部内の圧力風は前記空気抜け孔から外部に抜け出すことになり、短時間で肥料繰り出し部に肥料詰まりが生じるようなことが防止される。従って、作溝器内の土などの詰まりを排除すれば、直ちに施肥作業を再開することができるので、従来技術の課題を解消できて、非常に作業能率が良い。
（５４）【発明の名称】
施肥装置
（５７）【特許請求の範囲】
　【請求項１】肥料繰り出し部から繰り出された肥料を圧力風により圧送して作溝器まで案内する肥料案内部を有する施肥装置において、作溝器内の施肥口が詰まったとき作溝器より上方で肥料案内部内の圧力風を外部に逃がす空気抜け孔を
、外部に連通する小径管を作溝器から上方に離れた個所であって肥料案内部の途中個所において上方に向けて突設することによって
【発明の詳細な説明】
　【０００１】
　【産業上の利用分野】
　本発明は、肥料を圧力風により圧送する肥料案内部を有する施肥装置に関する。
　【０００２】
　【従来の技術】
　従来、ホッパ下方の肥料繰り出し部から圃場面に向け延出され、肥料繰り出し部から繰り出された肥料を、ブロワからの圧力風により作溝器まで圧送する肥料案内部を有する施肥装置がある。
　【０００３】
　【発明が解決しようとする課題】
　上記従来の施肥装置においては、作溝器内に圃場の土などが詰まると、肥料案内部内をブロワからの圧力風が通り抜けなくなり、短時間で肥料繰り出し部に肥料詰まりが生じて作業ができなくなる。その為に、作業を中止して、作溝器内の土などの詰まりを排除すると共に、肥料繰り出し部の肥料の詰まりを解消しなければならなかった。そして、肥料繰り出し部の肥料詰まりの解消作業は、困難で非常に作業能率が悪いものであった。本発明は、上記の問題点を解決することを目的になされたものである。
　【０００４】
　【課題を解決するための手段】
　上記の目的を達成するために本発明は、肥料繰り出し部から繰り出された肥料を圧力風により圧送して作溝器まで案内する肥料案内部を有する施肥装置において、作溝器内の施肥口が詰まったとき作溝器より上方で肥料案内部内の圧力風を外部に逃がす空気抜け孔を
、外部に連通する小径管を作溝器から上方に離れた個所であって肥料案内部の途中個所において上方に向けて突設することによって
　【０００５】
　【作用】
　上記の構成によって本発明の施肥装置は、作溝器内の施肥口に圃場の土などが詰まっても、作溝器より上方に設けた空気抜け孔から肥料案内部内の圧力風が外部に抜け、短時間で肥料繰り出し部に肥料詰まりが生じることが防止される。従って、作溝器内の詰まりを排除すれば直ちに施肥作業を再開できる。
　【０００６】
　【実施例】
　以下、本発明の一実施例を添付の図面を参照して具体的に説明する。図３ないし図５において、乗用型田植機１は、４輪駆動形式の乗用車体２の後部に昇降リンク３を介して苗植付け装置４を昇降可能に装着している。また、乗用車体２と苗植付け装置４との間の乗用車体２の後部位置には、施肥装置５が配設されている。この施肥装置５には、肥料ホッパ６の下側に、肥料繰り出し部６ａから繰り出される肥料を、肥料繰り出し部６ａから圃場面に向け延出されたビニール管からなる肥料案内部としての施肥管７に向け送り出す送風管８が設けられ、この送風管８にモータ９により駆動されるブロア１０が接続されている。そして、乗用車体２から苗植付け装置４及び施肥装置５に動力が伝達されて、苗植付け装置４では所定の間隔で多条（６条）の苗が圃場に植え付けられ、この植え付けられた苗の条間に、施肥装置５により繰り出された肥料が施肥管７から施肥される。
　【０００７】
　上記施肥管７の施肥口は作溝器７ａ内で開口しており、図１及び図３に示すように、この作溝器７ａの上方近傍の施肥管７に、外部に連通する空気抜け孔（小径管）７ｂを設けている。空気抜け孔７ｂは施肥管７より小径でほぼ垂直上方に向け突設されており、その上端部には開閉蓋７ｃが枢着されている。この開閉蓋７ｃは常時は閉じており、作溝器７ａ内の施肥口に詰まりを生じたときに、ブロア１０、送風管８からの圧力風により開くようになっている。また、図２の（ａ）及び（ｂ）に示すように施肥管７の基端部７ｄは、一端をネジ７ｆにより施肥装置５下部に固定したバネ線材７ｅによりリング状に支持されており、基端部７ｄが屈折して肥料詰まりを生じないようになっている。
　【０００８】
　乗用車体２の運転座席１１の下側にはエンジン１２が搭載され、運転座席１１の前側の車体前部に設けたステアリングハンドル１３及びハンドルポスト１４の下側には、トランスミッション１５が設けられている。エンジン１２とトランスミッション１５との間には油圧無段変速機（ＨＳＴ）１６が設けられている。エンジンの第１の出力プーリ１２ａと油圧無段変速機の入力プーリ１６ａとの間に第１のベルト伝動系１７が、油圧無段変速機の第１の出力プーリ１６ｂとトランスミッションの入力プーリ１５ａとの間に第２のベルト伝動系１８がそれぞれ設けられている。また、上記第１のベルト伝動系１７にはベルトテンションクラッチ１９が、トランスミッションの入力プーリ１５ａにはクラッチ２０がそれぞれ設けられている。
　【０００９】
　エンジン１２に近接してオルタネータ２１が設けられ、エンジンの第２の出力プーリ１２ｂとオルタネータの入力プーリ２１ａとの間に第３のベルト伝動系２２が設けられている。そして、オルタネータ２１で発電された交流電気が上記モータ９に供給されてブロワ１０を駆動するようにしている。また、油圧無段変速機１６のエンジン１２側に油圧ポンプ２３が設けられ、この油圧ポンプ２３の入力プーリ２３ａと油圧無段変速機の第２の出力プーリ１６ｃとの間に第４のベルト伝動系２４が設けられている。
　【００１０】
　上記ハンドルポスト１４の上部位置には、主変速レバー２５と副変速レバー２６とが設けられ、主変速レバー２５は、図示しないが操作ワイヤを介してトランスミッション１５内の変速歯車を切り換える変速シフタを作動させるようにしており、また、副変速レバー２６は、操作リンクを介して油圧無段変速機の変速軸（斜板角度操作軸）を操作するようにしている。また、ハンドルポスト１４の下部位置には、上記クラッチ２０を入り，切り操作する主クラッチペダル２７と、後輪のサイドクラッチ及びブレーキを同時に操作する，左右のサイドクラッチ・ブレーキペダル２８，２８とが設けられている。
　【００１１】
　さらに、上記ステアリングハンドル１３のステアリングシャフトの途中には、図示しないがラック・ピニオン式のパワステユニットが設けられている。トランスミッション１５内で変速された動力はＰＴＯ軸２９を介して取り出され、苗植付け装置４及び施肥装置５に動力伝達するようにしている。また、トランスミッション１５内で変速された動力が後輪伝動軸３０，３０を介して後輪に伝達される。左右の後輪は車体フレーム２ａにローリング軸３１を介してローリング可能に支持されている。３２，３２は乗用車体２の前部左右両側に設けられた予備苗載せ台、３３はセンターマーカである。
　【００１２】
　このように構成されたこの発明の一実施例の乗用型田植機１は、水田圃場に導入されて、乗用車体２の走行と共に、昇降リンク３により苗植付け装置４を下降させてフロートを田面に接した状態で苗植付け装置４を滑走させ、乗用車体２からＰＴＯ軸２９を介して伝達される動力により苗植付け装置４及び施肥装置５が駆動され、苗植付け装置４では所定の間隔で６条の苗が圃場に植え付けられ、この植え付けられた苗の条間に、施肥装置５の施肥管７から繰り出された肥料が施肥される。
　【００１３】
　施肥装置５の施肥管７においては、作溝器７ａの上方近傍に空気抜け孔７ｂを設けているので、施肥作業中に作溝器７ａ内の施肥口に圃場の土や稲株、堆肥などが詰まっても、ブロア１０、送風管８からの圧力風及び肥料は空気抜け孔７ｂから外部に抜け、肥料繰り出し部に肥料詰まりを生じることがない。そして、機体の走行を一時停止して施肥口の土などの詰まりを排除すれば、直ちに施肥作業を再開することができる。
　【００１４】
　また、施肥管７は可撓性のビニール管により構成され、苗植付け装置４及び施肥装置５は昇降リンク３により昇降されるので、施肥管７の基端部７ｄ部分は頻繁に弯曲または屈曲されることになるが、基端部７ｄはバネ線材７ｅによりリング状に支持されているので、施肥装置５の昇降リンク３による昇降動作時には支障なく弯曲または屈曲し、施肥作業状態のときには基端部７ｄは屈曲しない状態に支持されており、従って、基端部７ｄ部分に肥料が詰まるようなことはない。
　【００１５】
　【発明の効果】
　本発明の施肥装置によれば、作溝器内の施肥口が詰まったとき作溝器より上方で肥料案内部内の圧力風を外部に逃がす空気抜け孔を
、外部に連通する小径管を作溝器から上方に離れた個所であって肥料案内部の途中個所において上方に向けて突設することによって
【図面の簡単な説明】
　【図１】本発明の要部の側面図である。
　【図２】（ａ）は施肥装置の部分側面図、（ｂ）は（ａ）のＡ−Ａ線断面図である。
　【図３】本発明を適用した乗用型田植機の側面図である。
　【図４】同平面図である。
　【図５】同平面図である。
　【符号の説明】
　１　乗用型田植機
　２　乗用車体
　３　昇降リンク
　４　苗植付け装置
　５　施肥装置
　６　肥料ホッパ
　６ａ　肥料繰り出し部
　７　施肥管
　７ａ　作溝器
　７ｂ　空気抜け孔（小径管）
　７ｃ　開閉蓋
　７ｄ　施肥管の基端部
　７ｅ　バネ線材
　７ｆ　ネジ
　８　送風管
　９　モータ
　１０　ブロワ